(57)【要約】【課題】  一端に光源を備えた導光板の主面の一方で主液晶表示パネルを、その主面の他方で主液晶表示パネルより画面の小さい副液晶表示パネルを夫々照射する液晶表示装置にて、主液晶表示パネルの画面に生じる輝度ムラを低減する。【解決手段】  その一部分が副液晶表示パネルに対向する導光板の第２主面に形成され且つ導光板で伝播される光を当該導光板の主液晶表示パネルに対向する第１主面に向けて反射する起伏構造の反射率を、この第２主面が副液晶表示パネルに対向する前記一部分において当該起伏構造の形状（第２主面に対する高低差、第２主面内での面積又は密度）を変えて補正し、前記輝度ムラの原因となる前記第２主面の一部分からの光輻射により前記第１主面の局部的な輝度の低下を抑止する。【選択図】        図２
2004302443.tif 000002
【特許請求の範囲】
【請求項１】
第１の液晶表示パネルと、
前記第１の液晶表示パネルより主面の小さい第２の液晶表示パネルと、
第１主面、該第１主面に対向する第２主面、並びに該第１主面と該第２主面とを隔てる複数の側面を有する導光板と、
前記導光板の前記複数の側面の一つに対向して配置された少なくとも一つの発光素子を含む光源とを備え、
前記第１の液晶表示パネルは、その主面が前記導光板の第１主面に対向させて配置され、
前記第２の液晶表示パネルは、その主面が前記導光板の第２主面の一部分に対向させて配置され、
前記導光板の前記第２主面には、起伏構造が設けられていることを特徴とする液晶表示装置。
【請求項２】
前記起伏構造は、該導光板内で伝播された光の該第２主面による反射を制御することを特徴とする請求項１に記載の液晶表示装置。
【請求項３】
前記起伏構造は、前記第２主面に対する高さ並びに深さ、及び該第２主面内における密度並びに面積の少なくとも一つが、前記第２主面の前記一部分とこれに隣接する周縁部分とにおいて互いに異なることを特徴とする請求項１に記載の液晶表示装置。
【請求項４】
前記起伏構造は、前記第２主面に対する高さ並びに深さ、及び該第２主面内における密度並びに面積の少なくとも一つが、該導光板の前記光源に対する前記側面の一つからの距離に応じて増加し、且つ前記第２主面の前記一部分における該起伏構造の高さ、深さ、密度並びに面積の少なくとも一つは、該導光板の側面の一つに沿って該一部分に隣接する前記周縁部分におけるそれより増えていることを特徴とする請求項１に記載の液晶表示装置。
【請求項５】
前記起伏構造は、前記第２主面に形成された複数の溝であることを特徴とする請求項１に記載の液晶表示装置。
【請求項６】
その一方の側に前記第１の液晶表示パネル、前記導光板、及び前記光源を保持する第１の凹部が形成され、該一方の側に対向する他方の側に前記第２の液晶表示パネルを保持する第２の凹部が形成された筐体を備え、該筐体には該第１の凹部と該第２の凹部との間に該導光板の前記第２主面から輻射される光で該第２の液晶表示パネルの主面を照射する開口が形成され、該導光板の該第２主面における前記一部分は該第２主面の該開口に対向する部分として規定されることを特徴とする請求項１に記載の液晶表示装置。
【請求項７】
前記導光板の前記第２主面における前記一部分と、該導光板の前記光源に対向する前記側面の一つに沿って該一部分に隣接する前記周縁部分との反射率は、該導光板自体において前記一部分にて高くなり、該一部分と該周縁部分とにおける該反射率の差は該導光板を前記筐体に納めることにより減少することを特徴とする請求項６に記載の液晶表示装置。
【請求項８】
第１の液晶表示パネルと、
前記第１の液晶表示パネルより主面の小さい第２の液晶表示パネルと、
第１主面、該第１主面に対向する第２主面、並びに該第１主面と該第２主面とを隔てる複数の側面を有する導光板と、
前記導光板の側面に光源を配置し、
前記第１の液晶表示パネルは、その主面が前記導光板の第１主面に対向させて配置され、
前記第２の液晶表示パネルは、その主面が前記導光板の第２主面の一部分に対向させて配置され、
前記導光板の前記第２主面には、溝が形成されていることを特徴とする請求項６に記載の液晶表示装置。
【請求項９】
前記導光板の前記第２主面の溝は、少なくとも前記光源から前記第２主面の一部分までは、光源から遠ざかるに従い深くなっていることを特徴とする請求項８に記載の液晶表示装置。
【請求項１０】
前記導光板の前記第２主面の溝は、光源から一番遠い溝が光源から一番近い溝よりも深い溝であることを特徴とする請求項８に記載の液晶表示装置。
【請求項１１】
前記導光板の前記第２主面の溝は、前記第２主面の一部分の溝のうち光源から離れた側の溝の深さが、前記第２主面の一部分の隣の溝の深さより深くなっていることを特徴とする請求項８に記載の液晶表示装置。
【請求項１２】
その一方の側に前記第１の液晶表示パネル、前記導光板、及び前記光源を保持する第１の凹部が形成され、該一方の側に対向する他方の側に前記第２の液晶表示パネルを保持する第２の凹部が形成された筐体を備え、該筐体には該第１の凹部と該第２の凹部との間に該導光板の前記第２主面から輻射される光で該第２の液晶表示パネルの主面を照射する開口が形成され、該導光板の該第２主面における前記一部分は該第２主面の該開口に対向する部分として規定されることを特徴とする請求項８に記載の液晶表示装置。
【請求項１３】
第１の液晶表示パネルと、
前記第１の液晶表示パネルより主面の小さい第２の液晶表示パネルと、
第１主面、該第１主面に対向する第２主面、並びに該第１主面と該第２主面とを隔てる側面を有する導光板と、
前記導光板の側面に光源を配置し、
前記第１の液晶表示パネルは、その主面が前記導光板の第１主面に対向させて配置され、
前記第２の液晶表示パネルは、その主面が前記導光板の第２主面の一部分に対向させて配置され、
前記導光板の前記第２主面においては、該第２主面に対する高さ、深さ、該第２主面内における密度、面積、の少なくとも一つが、前記第２主面の前記一部分とこれに隣接する周縁部分とにおいて異なることを特徴とする液晶表示装置。
【請求項１４】
その一方の側に前記第１の液晶表示パネル、前記導光板、及び前記光源を保持する第１の凹部が形成され、該一方の側に対向する他方の側に前記第２の液晶表示パネルを保持する第２の凹部が形成された筐体を備え、該筐体には該第１の凹部と該第２の凹部との間に該導光板の前記第２主面から輻射される光で該第２の液晶表示パネルの主面を照射する開口が形成され、該導光板の該第２主面における前記一部分は該第２主面の該開口に対向する部分として規定されることを特徴とする請求項１３に記載の液晶表示装置。
【発明の詳細な説明】
【技術分野】
【０００１】
本発明は、折畳式携帯電話機等への搭載に好適な主液晶表示パネルとこれより画面の小さい副液晶表示パネルとを備えた液晶表示装置（両面液晶表示装置）に係り、主液晶表示パネルの画面における輝度ムラを低減するに好適な照明装置を備えた液晶表示装置に関する。
【背景技術】
【０００２】
液晶表示パネルを備えた携帯電話機や携帯情報端末機のダウンサイジングに伴い、非通話時（待受け時）にキーパッド部と液晶表示パネルとが重なるように折り畳められるデザインの携帯電話機や携帯情報端末機が商品化された。また、近年、このような折畳式の携帯電話機や携帯情報端末機が折り畳まれた状態（非通話時）でも情報を表示できる小型パネルが上述の液晶表示パネルの裏側に配置された製品も現われた。このような従来の液晶表示パネル（主液晶表示パネル、メインパネルともいう）に加えて、第２の液晶表示パネル（副液晶表示パネル、サブパネルともいう）を備えた携帯電話機や携帯情報端末機に好適な液晶表示装置（液晶表示モジュール）として、一つの照明装置（バックライト・システムとも呼ばれる）の両側に２つの液晶表示パネルを配置し、この照明装置で夫々の液晶表示パネルに光を照射する両面液晶表示装置と呼ばれる製品が開発された。このような両面液晶表示装置及びこれを搭載した携帯電話機は、例えば下記特許文献１に記載されている。
【０００３】
一方、その両面から夫々光を輻射する照明装置（両側発光型の平面光源装置）は下記特許文献２に、また、平面光源装置の光学系の設計に好適な導光板（導光体、ライトガイド）の一例は下記特許文献３に夫々開示されている。
【特許文献１】日本国：特開２００２−２８７１４４号公報
【特許文献２】日本国：特許第３３２６８５４号公報
【特許文献３】日本国：特開２０００−３１０７７７号公報
【発明の開示】
【発明が解決しようとする課題】
【０００４】
特許文献１に記される如き両面液晶表示装置は、表示画面の大きさが異なる主液晶表示パネルと副液晶表示パネルとで一つの平面光源を共有する。一方、携帯電話機や携帯情報端末機には、ダウンサイジングと消費電力の低減が求められるため、これに搭載される両面液晶表示装置には発光ダイオード（半導体発光素子）と導光板とを組合わせた特許文献２に記載の如き平面光源（照明装置）が汎く用いられる。
【０００５】
このような照明装置（両側発光型の平面光源）では、特許文献２に示される導光板の主面の一方に主液晶表示パネルを、その他方に副液晶表示パネルを夫々対向させて配置し、導光板の側面の一つに対向させて配置された光源（上述の発光ダイオード）から導光板に入射する光を夫々の主面に輻射させて主液晶表示パネル及び副液晶表示パネルにおける画像表示を行う。
【０００６】
導光板の側面の一つからこれに入射される光は、この内部をこの主面に沿うように伝播され、また主面の一方で反射された光はその他方から、主面の他方で反射された光はその一方から夫々輻射されて副液晶表示パネル及び主液晶表示パネルの夫々に入射する。光源（発光ダイオードに対向する導光板の側面）からの距離に応じて減少する夫々の主面からの光の輻射強度を一様に補正するために、導光板主面の少なくとも一つには上記特許文献３に示すような溝や突起のパターンが形成され、その大きさや間隔は上記光源からの距離に応じて変えられる。
【０００７】
しかし、主液晶表示パネルに対向する導光板主面の一方の面積に対して副液晶表示パネルに対向する導光板主面の他方の面積が小さく、またこの導光板主面の一方がその他方と互いに対向するため、導光板主面の一方から輻射される光の強度は、導光板主面の他方の副液晶表示パネルに対向する領域と対向する導光板主面の一方の一部分にて、この一部分を取り囲む周縁部分に比べて低下する。その結果、主液晶表示パネルに表示される画像には、この導光板主面の他方の副液晶表示パネルに対向する領域に応じて暗くなる所謂輝度ムラが生じる。
【０００８】
本発明は、両面液晶表示装置と呼ばれる液晶表示装置において、主液晶表示パネルに生じる上述の如き輝度ムラを抑止し、その画面全域に亘り実用に耐える程度の一様な輝度で画像を表示し得る照明装置を提供する。
【課題を解決するための手段】
【０００９】
本発明により提供される上述の如き照明装置を備えた液晶表示装置（両面液晶表示装置、液晶表示モジュールとも呼ばれる）の代表的な構造の一例は、以下の如く記述される。
【００１０】
第１の液晶表示パネルと、この第１の液晶表示パネルより主面の小さい第２の液晶表示パネルと、互いに対向する第１主面並びに第２主面及びこの第１主面と第２主面とを隔てる複数の側面を有する導光板と、この導光板の複数の側面の一つに対向して配置された少なくとも一つの発光素子を含む光源（例えば、発光ダイオードやこれに光学的に結合された光導波部材・・・前記導光板とは別に提供される・・・）とを備え、第１の液晶表示パネルがその主面を前記導光板の第１主面に対向させて配置され、第２の液晶表示パネルがその主面を前記導光板の第２主面の一部分に対向させて配置されて組み立てられた液晶表示装置で、導光板の前記第２主面には起伏構造が設けられているというものである。
【００１１】
この起伏構造は、導光板内で伝播された光の第２主面による反射を制御するものである。また、この起伏構造の第２主面にに対する高さ並びに深さ、及び第２主面内における密度並びに面積の少なくとも一つが前記第２主面の前記一部分とこれに隣接する周縁部分とにおいて互いに異なるようにしてもよい。
【００１２】
さらに、これらの構造において、導光板の第２主面における起伏構造の高さ、深さ、密度、及び面積の少なくとも一つは、この導光板の前記光源に対向する前記側面の一つからの距離に応じて増加され、第２主面の前記一部分（第２の液晶表示パネルに光を照射する部分）における起伏構造の高さ、深さ、密度、及び面積の少なくとも一つを、この導光板の側面の一つ（の延在方向）に沿って前記一部分に隣接する周縁部分におけるそれよりも大きくする。導光板の側面の一つの延在方向とは、この側面の一つに対向させて複数の発光素子を並べて光源を構成するとき、これらの発光素子の並設方向とも呼べる。
【００１３】
さらに、第２主面の前記一部分において、これに隣接する周縁部分よりも、起伏構造は第２主面から高く突き出る、第２主面から深く窪む、第２主面内に高い密度（短い間隔）で配置される、及び第２主面内に拡がる、の少なくとも一つの形態で特徴付けられる。
【００１４】
さらに、導光板の第２主面における起伏構造は、この第２主面に形成された複数の溝である。
【００１５】
また、この液晶表示装置には筐体（例えば、枠状のケース）が追加される。この筐体の一方の側には、第１の液晶表示パネル、導光板、及び光源を保持する第１の凹部が、この一方の側に対向する筐体の他方の側には、第２の液晶表示パネルを保持する第２の凹部が、例えば枠状に形成される。また、この筐体には、この第１の凹部と第２の凹部との間に、導光板の第２主面から輻射される光で第２の液晶表示パネルの主面を照射する開口も形成される。この開口は導光板の第２主面に対向し又は投影されて、この第２主面内に前記一部分を規定する。
【００１６】
さらに、導光板の第２主面における一部分の反射率と、この導光板の光源に対向する側面の一つに沿って第２主面の一部分に隣接する周縁部分の反射率とは、導光板自体において一部分の反射率が周縁部分の反射率より高くなり、これらの反射率の差は導光板を筐体に納めることにより減少する。即ち、導光板を単体の状態でその一つの側面から光を入射させたとき、第２主面の一部分に対向する第１主面の領域にて大きくなる第１主面からの光の輻射強度の偏りは、この導光板が前述した筐体に組み込まれることにより均一化される。その結果、この液晶表示装置において、導光板の第１主面から輻射される光の強度は、その第２主面の一部分に対向する領域にて落ち込まなくなるため、第１の液晶表示パネルに生じる輝度ムラは解消される。
【００１７】
本発明の別の実施態様によれば、第１の液晶表示パネルと、前記第１の液晶表示パネルより主面の小さい第２の液晶表示パネルと、第１主面、該第１主面に対向する第２主面、並びに該第１主面と該第２主面とを隔てる側面を有する導光板と、前記導光板の側面に光源を配置した液晶表示装置で、前記第１の液晶表示パネルは、その主面が前記導光板の第１主面に対向させて配置され、前記第２の液晶表示パネルは、その主面が前記導光板の第２主面の一部分に対向させて配置され、前記導光板の前記第２主面には、溝が形成されているというものである。
【００１８】
この場合、導光板の前記第２主面の溝は、少なくとも前記光源から前記第２主面の一部分までは、光源から遠ざかるに従い深くなっている構成も考えられる。また、導光板の前記第２主面の溝は、光源から一番遠い溝が光源から一番近い溝より深い溝である構成も考えられる。さらに、導光板の前記第２主面の溝は、前記第２主面の一部分の溝のうち光源から離れた側の溝の深さが、前記第２主面の一部分の隣りの溝の深さより深くなっている構成も考えされる。
【００１９】
本発明の別の実施態様によれば、第１の液晶表示パネルと、前記第１の液晶表示パネルより主面の小さい第２の液晶表示パネルと、第１主面、該第１主面に対向する第２主面、並びに該第１主面と該第２主面とを隔てる側面を有する導光板と、前記導光板の側面に光源を配置した液晶表示装置で、前記第１の液晶表示パネルは、その主面が前記導光板の第１主面に対向させて配置され、前記第２の液晶表示パネルは、その主面が前記導光板の第２主面の一部分に対向させて配置され、前記導光板の前記第２主面においては、該第２主面に対する高さ、深さ、該第２主面内における密度、面積、の少なくとも一つが、前記第２主面の前記一部分とこれに隣接する周縁部分とにおいて異なるというものである。
【００２０】
なお、本発明は、上記の構成に限定されるものではなく、本発明の技術思想を逸脱することなく種々の変更が可能である。
【発明の効果】
【００２１】
本発明によれば、一端に光源を備えた導光板の主面の一方で第１の液晶表示パネル（主液晶表示パネル）を、その他方で第１の液晶表示パネルより画面の小さい第２の液晶表示パネル（副液晶表示パネル）を夫々照射するように実装された液晶表示装置（両面液晶表示装置）にて、第２の液晶表示パネルに対向する導光板主面の他方の一部分に応じて発生する導光板主面の一方における局部的な光輻射強度の低下を補償し、第１の液晶表示パネルの画面に生じる輝度ムラを抑止する。これにより、第１の液晶表示パネル及び第２の液晶表示パネルの夫々の画面における表示画質が向上される。また、この液晶表示装置を搭載した折畳式の携帯電話機や携帯情報端末機において、その主画面及び副画面に表示される画像（情報）の視認性が向上される。
【発明を実施するための最良の形態】
【００２２】
以下、本発明の具体的な実施の形態について、実施例の図面を参照して詳細に説明する。以下の説明中に参照する図面において、同一機能を有するものは同一の参照符号を付し、重複説明は可能な限り省略する。
【００２３】
図１（ａ）は、主液晶表示パネルＰＮＬ１とこれより画面の小さい副液晶表示パネルＰＮＬ２とを備えた本発明による液晶表示装置（両面液晶表示装置）の一例を主液晶表示パネルＰＮＬ１の搭載面から描いた平面構造を示す。図１（ｂ）は、この液晶表示装置を図１（ａ）に示すＩｂ−Ｉｂ’線沿いに切断したときの断面構造を示す。図１（ａ）に示す平面構造では、主液晶表示パネルＰＮＬ１と副液晶表示パネルＰＮＬ２との接続形態を説明するために、副液晶表示パネルＰＮＬ２は筐体ＣＡＳに納められない状態で描かれているが、この液晶表示装置が完成された段階では副液晶表示パネルＰＮＬ２も図１（ｂ）に示されるように筐体ＣＡＳに納められる。なお、図１（ａ）及び図１（ｂ）に夫々示された座標軸は、本実施例の液晶表示装置及びこれに搭載される部品の形状及びレイアウトの説明を補助し、例えばｘ軸は光源（発光ダイオードＬＥＤ）又はこれに対向する導光板ＧＬＢの側面（図１（ｂ）における左側端面）から導光板ＧＬＢに沿って離れる方向を、ｙ軸は光源に対向する導光板ＧＬＢの側面の延在方向を夫々示す。
【００２４】
図１（ａ）及び図１（ｂ）に示される主液晶表示パネルＰＮＬ１及び副液晶表示パネルＰＮＬ２のいずれも、各画素にアクティブ素子（薄膜トランジスタ等）が配置されたアクティブ・マトリクス型の構造を有する。主液晶表示パネルＰＮＬ１は光透過性を有する一対の基板（ガラス基板やプラスチック基板）ＳＵＢ１ｍ，ＳＵＢ２ｍとを夫々の主面を向かい合わせて固定し、これらの基板の間隙には液晶層ＬＣｍが設けられてその表示画面を成す。副液晶表示パネルＰＮＬ２も主液晶表示パネルＰＮＬ１と同様に、光透過性を有する一対の基板ＳＵＢ１ｓ，ＳＵＢ２ｓとを夫々の主面を向かい合わせて固定し、これらの基板の間隙には液晶層ＬＣｓが設けられてその表示画面を成す。これらの主液晶表示パネルＰＮＬ１と副液晶表示パネルＰＮＬ２とを保持する筐体ＣＡＳとして、例えばモールド成形された樹脂材料からなるモールド・ケースが用いられる。
【００２５】
筐体ＣＡＳには、その一方側（図１（ｂ）に示されるＳｉｄｅ  Ａ）に開く第１の凹部と、この一方側とは反対の他方側（図１（ｂ）に示されるＳｉｄｅ  Ｂ）に開く第２の凹部とが形成される。この第１の凹部には、発光ダイオードＬＥＤ並びにこれが搭載された光源基板ＬＳＢ、及び導光板ＧＬＢが収納され、その入り口部分（図１（ｂ）に示す筐体ＣＡＳの最上部）には主液晶表示パネルＰＮＬ１の基板ＳＵＢ１ｍが嵌め込まれる。一方、第２の凹部（図１（ｂ）に示す筐体ＣＡＳの下面）には、副液晶表示パネルＰＮＬ２の基板ＳＵＢ１ｓが嵌め込まれる。第１の凹部の入り口部分は、主液晶表示パネルＰＮＬ１（基板ＳＵＢ１ｍ）の周縁に嵌合するテラス状の面が枠状に形成され、主液晶表示パネルＰＮＬ１の主面の周縁は粘着性を有する遮光スペーサＬＳＳｍによりテラス状の面に固定される。第２の凹部にも、副液晶表示パネルＰＮＬ２（基板ＳＵＢ１ｓ）の周縁に嵌合するテラス状の面が枠状に形成され、副液晶表示パネルＰＮＬ２の主面の周縁は粘着性を有する遮光スペーサＬＳＳｓによりテラス状の面に固定される。また、筐体ＣＡＳには第１の凹部の底面から第２の凹部の底面に到る開口ＯＰＮが形成され、この開口ＯＰＮを通して導光板ＧＬＢの第２主面（図１（ｂ）における下面）から輻射された光は副液晶表示パネルＰＮＬ２（基板ＳＵＢ１ｓ）の主面を照射する。開口ＯＰＮの面積は、第１の凹部の底面及び第２の凹部の底面より狭い。
【００２６】
一方、導光板ＧＬＢの第１主面と主液晶表示パネルＰＮＬ１（基板ＳＵＢ１ｍ）の主面との間には、第１主面から輻射される光を基板ＳＵＢ１ｍの主面内に一様に拡散させる光学シート（光拡散シート）ＯＰＳ１ｍと、その光の進行方向を基板ＳＵＢ１ｍの主面の法線沿いに集光させる機能を有する光学シート（集光シート）ＯＰＳ２ｍとが挿入される。また、導光板ＧＬＢの第２主面と副液晶表示パネルＰＮＬ２（基板ＳＵＢ１ｓ）の主面との間にも、第２主面（その開口ＯＰＮに対向する一部分）から輻射される光を基板ＳＵＢ１ｓの主面内に一様に拡散させる光学シート（光拡散シート）ＯＰＳ１ｓと、その光の進行方向を基板ＳＵＢ１ｓの主面の法線沿いに集光させる機能を有する光学シート（集光シート）ＯＰＳ２ｓとが挿入される。これらの光学シートは、筐体ＣＡＳの第１の凹部にその底面から集光シートＯＰＳ２ｓ（２枚）、光拡散シートＯＰＳ１ｓ、導光板ＧＬＢ、光拡散シートＯＰＳ１ｍ、及び集光シートＯＰＳ２ｍ（２枚）の順に積層される。集光シートＯＰＳ２ｓ，ＯＰＳ２ｍとして、例えば一方の主面にプリズム状の突起が形成されたプリズムシートが用いられる。
【００２７】
集光シートＯＰＳ２ｓ及び光拡散シートＯＰＳ１ｓは、主液晶表示パネルＰＮＬ１の画面と同様又はそれ以上の面積を有するため、第１の凹部の底面にて上述の開口ＯＰＮを跨ぐように配置される。また、筐体ＣＡＳが光を通し難い材料で形成された場合、その第１の凹部の底面に対向する（開口ＯＰＮに対向しない）集光シートＯＰＳ２ｓの領域では、導光板ＧＬＢの第２主面から輻射される光を導光板ＧＬＢ内部に戻し、その第１主面から主液晶表示パネルＰＮＬ１の主面へ輻射させる。これらの光拡散シートや集光シートの光学特性は、主液晶表示パネルＰＮＬ１用と副液晶表示パネルＰＮＬ２用とで共通させてもよく、また、導光板ＧＬＢの光学特性に応じて、光拡散シート及び集光シートの一方又はその双方を用いなくともよい。
【００２８】
図１（ａ）に示される本実施例の主液晶表示パネルＰＮＬ１及び副液晶表示パネルＰＮＬ２のいずれもアクティブ・マトリクス型の構造を有するため、夫々の画面（画像表示領域）には、ｘ軸沿いに延在し且つこのｘ軸に交差するｙ軸沿いに並設される複数の映像信号線ＤＬと、ｙ軸沿いに延在し且つｘ軸沿いに並設される複数の走査信号線ＧＬとが設けられる。なお、図１（ａ）において、主液晶表示パネルＰＮＬ１及び副液晶表示パネルＰＮＬ２の夫々の画面内に配置された映像信号線ＤＬと走査信号線ＧＬの図示は省略され、その外側に配置される一部のみが図示される。
【００２９】
主液晶表示パネルＰＮＬ１の基板ＳＵＢ２ｍから突き出た基板ＳＵＢ１ｍ主面の周縁には、映像信号駆動回路ＶＤＲと走査信号駆動回路ＳＤＲとが搭載される。映像信号駆動回路ＶＤＲは主液晶表示パネルＰＮＬ１及び副液晶表示パネルＰＮＬ２の夫々の画面に設けられた複数の映像信号線ＤＬに映像信号を出力し、走査信号駆動回路ＳＤＲは主液晶表示パネルＰＮＬ１及び副液晶表示パネルＰＮＬ２の夫々の画面に設けられた複数の走査信号線ＧＬに走査信号を出力する。主液晶表示パネルＰＮＬ１及び副液晶表示パネルＰＮＬ２の夫々の画面に設けられた画素の各々は、これに設けられたアクティブ素子を通して、複数の映像信号線ＤＬの一つから映像信号を取り込み、そのタイミングは複数の走査信号線ＧＬの一つからアクティブ素子に入力される走査信号で制御される。
【００３０】
本実施例の主液晶表示パネルＰＮＬ１の画面には、赤色の映像信号、緑色の映像信号、及び青色の映像信号を伝送する映像信号線が１７６本ずつ赤色、緑色、及び青色の順に繰り返してｙ軸沿いに並設される。従って、主液晶表示パネルＰＮＬ１の画面には合計５２８本の映像信号線が並設される。また、これらの映像信号線に交差する２４０本の走査信号線がｘ軸沿いに並設されて、合計４２２４０個の画素によりカラー画像を表示する。
【００３１】
一方、本実施例の副液晶表示パネルＰＮＬ２の画面には、赤色の映像信号、緑色の映像信号、及び青色の映像信号を伝送する映像信号線が１２０本ずつ赤色、緑色、及び青色の順に繰り返してｙ軸沿いに並設される。従って、主液晶表示パネルＰＮＬ２の画面には合計３６０本の映像信号線が並設される。また、これらの映像信号線に交差する６４本の走査信号線がｘ軸沿いに並設されて、合計７６８０個の画素によりカラー画像を表示する。
【００３２】
これに対して、映像信号駆動回路ＶＤＲは、主液晶表示パネルＰＮＬ１の画面に設けられた５２８本（各色毎に１７６本）の映像信号線と副液晶表示パネルＰＮＬ２の画面に設けられた３６０本（各色毎に１２０本）の映像信号線とに映像信号を出力する。映像信号駆動回路ＶＤＲは、フレキシブル・プリント基板ＦＰＣ１を通して液晶表示装置の外部回路から映像データを受けるため、フレキシブル・プリント基板ＦＰＣ１の一端が接続される上記基板ＳＵＢ１ｍ主面の周縁（図１（ａ）では左端）に搭載される。フレキシブル・プリント基板ＦＰＣ１の他端には、液晶表示装置の外部回路（図１には示されない）に接続される複数の端子ＴＭが設けられる。このように配置された映像信号駆動回路ＶＤＲから副液晶表示パネルＰＮＬ２の画面に設けられた映像信号線への映像信号の出力は、主液晶表示パネルＰＮＬ１の画面に設けられた映像信号線のうちの３６０本（各色毎に１２０本）を夫々通し、さらにこれら３６０本の映像信号線ＤＬをフレキシブル・プリント基板ＦＰＣ２及び副液晶表示パネルＰＮＬ２の基板ＳＵＢ１ｓの主面へ延在させて行う。
【００３３】
一方、走査信号駆動回路ＳＤＲも、液晶表示装置の外部回路からフレキシブル・プリント基板ＦＰＣ１を通してこれに入力されるクロック信号に応じて、主液晶表示パネルＰＮＬ１の画面に設けられた２４０本の走査信号線と副液晶表示パネルＰＮＬ２の画面に設けられた６４本の走査信号線とに走査信号を順次出力する。基板ＳＵＢ１ｍ主面の周縁（図１（ａ）では上端）に搭載された走査信号駆動回路ＳＤＲから副液晶表示パネルＰＮＬ２に設けられた６４本の走査信号線への走査信号の出力は、副液晶表示パネルＰＮＬ２の基板ＳＵＢ１ｓ主面の周縁（図１（ａ）では上端）に引き出された６４本の走査信号線の夫々をフレキシブル・プリント基板ＦＰＣ２及び主液晶表示パネルＰＮＬ１の基板ＳＵＢ１ｍの主面へ延在させて行う。
【００３４】
このようにしてフレーム期間毎に主液晶表示パネルＰＮＬ１の画面及び副液晶表示パネルＰＮＬ２の画面に生成された画像（情報）は、導光板ＧＬＢの側面の一つに対向して配置された発光ダイオード（発光素子）ＬＥＤからの光を導光板ＧＬＢ内に伝播させ且つその第１主面（図１（ｂ）では上面）及び第２主面（図１（ｂ）では下面）から夫々輻射させて主液晶表示パネルＰＮＬ１及び副液晶表示パネルＰＮＬ２を照射することにより、ユーザに知覚される。
＜導光板ＧＬＢ主面における反射率の補正＞
【００３５】
以上に述べた液晶表示装置（両面液晶表示装置）は、折畳式携帯電話機にそのキーパッド部と上記主液晶表示パネルＰＮＬ１とが折り畳まれた状態で向かい合うように実装される。従って、折畳式携帯電話機が折り畳まれた状態（例えば、待ち受け時）では、上記副液晶表示パネルＰＮＬ２の画像のみが折畳式携帯電話機のユーザに知覚され、折畳式携帯電話機が開かれた状態（例えば、通話時）では、主液晶表示パネルＰＮＬ１及び副液晶表示パネルＰＮＬ２の夫々の画像が折畳式携帯電話機のユーザに知覚される。
【００３６】
導光板とその側面に配置した光源とを備えた照明装置を有する所謂エッジ・ライト型の液晶表示装置では、導光板の主面の一方にこれから輻射される光を導光板内部へ戻す反射構造を形成してもなお、この導光板の一方の主面から光の輻射が生じる。従って、本実施例の液晶表示装置に搭載される導光板ＧＬＢの第２主面にこのような反射構造を設けても、これから副液晶表示パネルＰＮＬ２に向けて充分な強度の光が輻射される。このため、本実施例の液晶表示装置が搭載された折畳式携帯電話機の副液晶表示パネルＰＮＬ２は、折畳式携帯電話機を折り畳んだ状態でも開いた状態でも充分な光照射を受けることにより、それに生成される画像が折畳式携帯電話機のユーザに知覚される。
【００３７】
一方、このような折畳式携帯電話機に搭載された主液晶表示パネルＰＮＬ１は、導光板ＧＬＢの第１主面から輻射される光で照射される。しかし、この第１主面は、その一部分が副液晶表示パネルＰＮＬ２に対向する第２主面と向かい合い、且つ主液晶表示パネルＰＮＬ１は折畳式携帯電話機を開いた状態でそのユーザに画像を提供することから、主液晶表示パネルＰＮＬ１に表示される画像には輝度ムラが生じる。
【００３８】
主液晶表示パネルＰＮＬ１の画面に生じる輝度ムラの原因は、次のように説明される。上述のようにフレーム期間毎に主液晶表示パネルＰＮＬ１と副液晶表示パネルＰＮＬ２との双方に画像を生成する場合、副液晶表示パネルＰＮＬ２の画面の少なくとも一部には光を透過する領域が生じる。また、主液晶表示パネルＰＮＬ１での画像表示期間中に副液晶表示パネルＰＮＬ２の画像表示を停止しても、この副液晶表示パネルＰＮＬ２がその液晶層ＬＣｓに印加される電界が最小のときに最大の光透過率を示すノーマリ・ホワイト・モードで駆動される場合は副液晶表示パネルＰＮＬ２の画面全体が光をよく透過させる。従って、導光板ＧＬＢの第２主面に上述の反射構造を設けても、これで第１主面に向けて反射されるべき光の一部が筐体ＣＡＳに設けられた開口ＯＰＮ及びを副液晶表示パネルＰＮＬ２の画面を通して折畳式携帯電話機（開いた状態にある）の外側へ放出される。
【００３９】
これに対して、導光板ＧＬＢの第２主面の副液晶表示パネルＰＮＬ２に対向する上記一部分以外は筐体ＣＡＳの内壁に対向するため、これから輻射されようとする光は上記反射構造により効率よく第１主面に向けて反射される。従って、主液晶表示パネルＰＮＬ１の画面には導光板ＧＬＢの第２主面の副液晶表示パネルＰＮＬ２に対向する一部分に対応した暗い部分が生じる。例えば、図１（ａ）に示した主液晶表示パネルＰＮＬ１の画面（概ね基板ＳＵＢ２ｍの主面に相当する）において、副パネル照明領域と記された破線枠内にて表示画像の輝度がこれを取り囲む他の領域より低くなる。この副パネル照明領域は、図１（ｂ）に示される如く、導光板ＧＬＢの第２主面が副液晶表示パネルＰＮＬ２に対向する領域（上記「一部分」）を当該導光板ＧＬＢの第１主面に投影させて規定される。また、図１（ｂ）に示されるような開口ＯＰＮを備えた筐体ＣＡＳの一方の面（Ｓｉｄｅ  Ａ）に主液晶表示パネルＰＮＬ１を、他方の面（Ｓｉｄｅ  Ｂ）に第２主面の副液晶表示パネルＰＮＬ２を夫々搭載する場合、この開口ＯＰＮに対向する導光板ＧＬＢの第２主面の「一部分」を導光板ＧＬＢの第１主面に投影させても規定される。
【００４０】
仮に、筐体ＣＡＳを光透過率の高い材料で形成し、主液晶表示パネルＰＮＬ１の画面（基板ＳＵＢ２ｍ）における副パネル照明領域とそれ以外の領域との輝度の差を縮めるようにしても、この液晶表示装置が組み込まれる折畳式携帯電話機のハウジング（少なくとも画像表示部）が光を透過し難い材料で形成される限り、上述の輝度ムラは解消し得ない。
【００４１】
このような状況の下、本発明は図２に示す導光板ＧＬＢを図１に示すような液晶表示装置（両面液晶モジュール）に提供する。図２（ａ）には、本発明による導光板ＧＬＢの一例の第２主面から見た平面構造が、その側面の一方に対向して配置される３つの発光素子ＬＥＤ及びこれらを搭載した光源基板ＬＳＢとともに描かれている。従って、図２（ａ）の平面図は、図１（ｂ）に示される筐体ＣＡＳの第１凹部の底面から導光板ＧＬＢの第２主面と発光素子ＬＥＤとを見上げるようにして描かれる。導光板ＧＬＢの第２主面に示された一対の実線で囲まれた着色領域は第２主面に形成された複数の溝ＧＲＶを示し、夫々着色領域の中央に示された一点鎖線は夫々の溝ＧＲＶの第２主面に対する「谷」を示す。これらの溝ＧＲＶの幅は、３つの発光素子ＬＥＤに対向する導光板ＧＬＢの側面の一つからｘ軸に沿って離れていくに従い、徐々に拡がることで、導光板ＧＬＢで伝播される光をその第１主面に向けて強く反射させる。このように溝の幅を導光板ＧＬＢの光源（発光素子ＬＥＤ）に対向する一側面からの距離に応じて拡げることで、この導光板ＧＬＢの一側面から離れるに従って減衰する導光板ＧＬＢの第１主面からの光の輻射強度を補償する。なお、このような導光板ＧＬＢの第１主面から輻射される光の減衰は、導光板ＧＬＢの第２主面に反射構造を設けないときでも生じる。
【００４２】
図２（ａ）に示される導光板ＧＬＢの平面構造において、本発明の特徴は破線で囲まれた「副パネル照射領域」（導光板ＧＬＢの第２主面における副液晶表示パネルＰＮＬ２に対向した上述の「一部分」に相当）と、この破線枠とこれを囲む点線枠とに挟まれた領域（以降、「周縁部分」と呼ぶ）とにおける溝ＧＲＶの幅の相違に表れる。導光板ＧＬＢの第２主面の「副パネル照射領域」以外の領域（上記「周縁部分」も含む）では、溝ＧＲＶの幅が導光板ＧＬＢの光源側（図２（ａ）の左端）から離れるに従い徐々に拡がるが、「副パネル照射領域」においては溝ＧＲＶの幅が急激に拡がり、その中には「副パネル照射領域」より光源から離れた溝ＧＲＶよりも幅の広いものも含まれる。このような導光板ＧＬＢの第２主面における「副パネル照射領域」とそれ以外の領域とにおける反射構造の相違は、「副パネル照射領域」とこれに隣接する上記「周縁部分」とを導光板ＧＬＢの光源に対向する側面の延在方向沿いに比較して記述される。図２（ａ）に示される導光板ＧＬＢの平面構造においては、導光板ＧＬＢ内で伝播された光の第２主面による反射を制御する起伏構造（溝）の第２主面内における面積（幅）が「副パネル照射領域」とこれに隣接する「周縁部分」とにおいて互いに異なり、前者における起伏構造の面積は後者におけるそれよりも大きい。
【００４３】
図２（ａ）に示された導光板ＧＬＢの第２主面に形成される複数の溝は、これに示されたＡ−Ａ’線沿いに切断して図２（ｂ）に描かれた導光板ＧＬＢの断面構造に示される如く、光源からの距離に応じたその深さの変化においても上記「副パネル照射領域」とそれ以外の領域とで相違する。図２（ｂ）は、図１（ｂ）に示される導光板ＧＬＢとその第１主面及び第２主面とを隔てる複数の側面の一つに対向する光源（但し、発光素子ＬＥＤのみ）とを抜粋して示す。導光板ＧＬＢの第２主面（図２（ｂ）では下面）に形成された溝ＧＲＶは、光源に対向する導光板ＧＬＢの一側面からの距離に応じて、徐々に深く形成される。このようなｘ軸方向に並設される溝ＧＲＶの深さの変化は、図２（ｂ）の「副パネル照射領域」にて実線で示される溝を点線で示される溝（図２（ａ）に「反射率補正なし」と示されたＢ−Ｂ’線沿いの断面形状）に置き換えて示される。このように溝ＧＲＶの深さを光源から離れるに従って増加させることにより、光源からの距離に応じて減衰する導光板ＧＬＢの第１主面からの光の輻射強度が補償される。「副パネル照射領域」を含むＡ−Ａ’線沿いに並設される複数の溝ＧＲＶの断面形状をＢ−Ｂ’線沿いのそれと同様にしたとき、導光板ＧＬＢの第１主面から輻射される光の強度（全画面を白く表示した主液晶表示パネルＰＮＬ１の輝度）は、図２（ｃ）に破線で示されるように、「副パネル照射領域」（第２主面の副液晶表示パネルＰＮＬ２に対向する一部分）において局部的に落ち込む。このような第１主面の輝度の局部的な落ち込みが上述の主液晶表示パネルＰＮＬ１の画面における輝度ムラを引き起こす。尚、図２（ｃ）の縦軸は主液晶表示パネルＰＮＬ１の輝度（Side  A ）であり、横軸は光源からの距離を表している。
【００４４】
これに対して、「副パネル照射領域」における溝ＧＲＶの断面を、図２（ｂ）に「反射率補正」と示された実線で記される形状に変えると、図２（ｃ）に破線で示される導光板ＧＬＢの第１主面（主液晶表示パネルＰＮＬ１の画面）の中心近くにおける輝度の落ち込みは、「反射率補正後」と記された実線の如く解消され、 主液晶表示パネルＰＮＬ１の画面における輝度ムラは本実施例の液晶表示装置が搭載された携帯電話機のユーザに知覚され難くなる。
【００４５】
図２（ｂ）の「副パネル照射領域」に実線で示された溝ＧＲＶの断面形状（上記Ａ−Ａ’線沿い）と点線で示された溝ＧＲＶの断面形状（上記Ｂ−Ｂ’線沿い）との比較から明らかなように、光源からの距離に応じて徐々に増す溝ＧＲＶの深さは、「副パネル照射領域」にて実線で描かれる如く急激に増える。これに対して、導光板ＧＬＢの光源に対向する側面の延在方向（図２（ａ）のｙ軸）沿いに「副パネル照射領域」に隣接する「周縁部分」に形成される溝ＧＲＶの深さは、点線で描かれる如く依然として光源からの距離に応じて徐々に増す。このため、「副パネル照射領域」に形成される溝ＧＲＶの中には、「副パネル照射領域」より光源から離れて形成された溝ＧＲＶよりも深いものも含まれる。
【００４６】
図２（ｂ）を参照して上述した導光板ＧＬＢの第２主面における「副パネル照射領域」の反射構造とこれに隣接する「周縁部分」の反射構造とを、導光板ＧＬＢの光源に対向する側面の延在方向沿いに比較すると、その相違は次のように記述される。図２（ｂ）に示される導光板ＧＬＢの断面構造においては、導光板ＧＬＢ内で伝播された光の第２主面による反射を制御する起伏構造（溝）の第２主面内に対する深さが、「副パネル照射領域」とこれに隣接する「周縁部分」とにおいて互いに異なり、前者における起伏構造の高低差（Peak-to-Valley）は後者におけるそれよりも大きい。
【００４７】
以上の説明にて参照した本発明による導光板ＧＬＢの効果を示す図２（ｃ）は、この導光板ＧＬＢを図１（ｂ）に示す如く筐体ＣＡＳに主液晶表示パネルＰＮＬ１及び副液晶表示パネルＰＮＬ２とともに実装した状態で測定された結果を示す。この実験では、主液晶表示パネルＰＮＬ１及び副液晶表示パネルＰＮＬ２の夫々の画面全域を白く表示して（夫々の画面の光透過率を最大にして）、主液晶表示パネルＰＮＬ１の画面（図１（ｂ）における基板ＳＵＢ２ｍの上面）から出射される光の強度を測定した。この光強度の測定結果（主液晶表示パネルＰＮＬ１の輝度）を以って、導光板ＧＬＢの第１主面における光の輻射強度の分布が論じられた。
【００４８】
しかし、本発明による導光板ＧＬＢを上述のように筐体ＣＡＳに実装せず、図２（ａ）や図２（ｂ）に示す如く、裸の状態でその側面の一つに光源を配置した場合、その第１主面における光の輻射強度の分布（ｘ軸方向沿いの変化）は図２（ｃ）に示されるそれと異なる。導光板ＧＬＢを単品の状態でその第１主面から輻射される光の強度を測定すると、図２（ｃ）に破線で示された反射率補正前の光強度は「副パネル照射領域」にて落ち込まず、実線で示された反射率補正後の光強度は「副パネル照射領域」にて局部的に上昇する。従って、導光板ＧＬＢ自体の第１主面における輝度は、第２主面の反射構造を副液晶表示パネルＰＮＬ２に対向する一部分にて補正することにより形成された「副パネル照射領域」（当該第２主面の一部分と対向する第１主面の一部分）にて局部的に上昇する。この導光板ＧＬＢ自体の第１主面における局部的な輝度の上昇が、当該導光板ＧＬＢを筐体ＣＡＳに実装したときに生じる第２主面の一部分から副液晶表示パネルＰＮＬ２への過剰な光漏れを抑止する。これにより、本発明による導光板ＧＬＢの第１主面に主液晶表示パネルＰＮＬ１を、第２主面に副液晶表示パネルＰＮＬ２を夫々配置して組み立てられた液晶表示装置において、主液晶表示パネルＰＮＬ１の画面における輝度ムラの発生が抑えられ、且つ副液晶表示パネルＰＮＬ２の画面も実用に耐える輝度で表示できる。
【００４９】
上述の実施例にて述べた導光板ＧＬＢでは、その第２主面に形成される溝の幅（面積）及び深さが「副パネル照射領域」（副液晶表示パネルＰＮＬ２に対向する一部分）とそれ以外の部分とで異ならせた。しかし、溝の幅及び深さのいずれか一方のみを「副パネル照射領域」とそれ以外の部分とで異ならせるだけでも、図２（ｃ）に示されるような効果が得られる。また、第２主面に形成される複数の溝（凹部）を第２主面から突き出る複数の突起（凸部）にそっくり置き換えても同様な効果が得られる。複数条の突起が光源側から並設された第２主面を有する導光板ＧＬＢでは、導光板ＧＬＢ内で伝播された光の第２主面による反射を制御する起伏構造（突起）の第２主面に対する高さが、「副パネル照射領域」とこれに隣接する「周縁部分」とにおいて互いに異なり、前者における起伏構造の高低差（Ｐｅａｋ−ｔｏ−Ｖａｌｌｅｙ）は後者におけるそれよりも大きい。
＜導光板ＧＬＢ主面での反射率補正に係る他の実施例＞
【００５０】
本発明による所謂両面液晶表示装置に好適な導光板は、図２（ａ）及び図２（ｂ）を参照して上述した構造に限定されず、図３（ａ）や図３（ｂ）に示される平面構造にて具体化され得る。なお、図３（ａ）及び図３（ｂ）のいずれにも、図２（ａ）と同様に、導光板ＧＬＢの第２主面から見た平面構造が、その一側面に対向して配置される光源（その詳細は個々に相違する）とともに描かれている。
【００５１】
図３（ａ）に示す導光板ＧＬＢの第２主面には、一対の曲線で示される複数の溝ＧＲＶ又は突起ＰＲＯがｘ軸方向沿いに導光板ＧＬＢの光源側から順次並設されている。一対の曲線の各々に挟まれる一点鎖線は、この一対の曲線が溝ＧＲＶを示すときはその谷部を、この一対の曲線が突起ＰＲＯを示すときはその尾根を示す。図３（ａ）に示す実施例では、導光板ＧＬＢの一側面沿いに並設された２つの発光素子ＬＥＤを有する光源を用いられる。このため、発光素子ＬＥＤが点光源である故に生じる光の偏りを低減するために、一対の曲線の間隔で示される溝ＧＲＶ又は突起ＰＲＯの幅は発光素子ＬＥＤに対向する位置で狭められ、溝ＧＲＶの深さ又は突起ＰＲＯの高さも発光素子ＬＥＤに対向する位置で抑えられる。
【００５２】
図３（ａ）の導光板ＧＬＢの第２主面に形成された複数の溝ＧＲＶの幅は、その夫々が形成される位置（光源側からの距離）に関わらず、ｙ軸方向沿いに同様に変化する。複数の溝ＧＲＶを複数の突起ＰＲＯに置き換えたときの、夫々の突起ＰＲＯの幅も、その形成される位置に関わらず、ｙ軸方向沿いに同様に変化する。また、夫々の溝ＧＲＶの深さはｙ軸方向沿いに同様に変化し、夫々の突起ＰＲＯの高さもｙ軸方向沿いに同様に変化する。しかし、導光板ＧＬＢの第２主面に複数の溝ＧＲＶを並設する場合も、複数の突起ＰＲＯを並設する場合も、溝ＧＲＶ又は突起ＰＲＯの間隔は光源側から離れるに従い狭まる。このように導光板ＧＬＢの第２主面における溝ＧＲＶ又は突起ＰＲＯの間隔を順次狭めていくことで、光源に面した導光板ＧＬＢの一側面から離れるに従って減衰する導光板ＧＬＢの第１主面からの光の輻射強度が補償される。
【００５３】
しかし、図３（ａ）に示される如く、導光板ＧＬＢの第２主面における「副パネル照射領域」には、これに隣接する「周縁部分」に形成された溝ＧＲＶの間隙に新たな溝ＧＲＶが形成され、又は「周縁部分」に形成された突起ＰＲＯの間隙に新たな突起ＰＲＯが形成される。従って、ｘ軸方向沿いの溝ＧＲＶ又は突起ＰＲＯの間隔は、「副パネル照射領域」にてこれに隣接する「周縁部分」より狭まる。さらに、「副パネル照射領域」には、これより光源から離されて形成された溝ＧＲＶ又は突起ＰＲＯの間隔より狭い間隔で溝ＧＲＶ又は突起ＰＲＯが並ぶ部分もある。このように、導光板ＧＬＢの第２主面の副液晶表示パネルに対向する一部分（「副パネル照射領域」）に形成される溝ＧＲＶ又は突起ＰＲＯの間隔を、これに隣接する「周縁部分」に形成される溝ＧＲＶ又は突起ＰＲＯの間隔より縮めても、図２（ｃ）を参照して説明された如く、主液晶表示パネルＰＮＬ１の画面における輝度ムラの発生が抑えられる。
【００５４】
図３（ａ）を参照して上述した導光板ＧＬＢの第２主面における「副パネル照射領域」の反射構造とこれに隣接する「周縁部分」の反射構造とを、導光板ＧＬＢの光源に対向する側面の延在方向（ｙ軸）沿いに比較すると、その相違は次のように記述される。導光板ＧＬＢ内で伝播された光の第２主面による反射を制御する起伏構造（溝ＧＲＶ又は突起ＰＲＯ）の第２主面内における密度（ｘ軸沿いの密度、間隔）が、「副パネル照射領域」とこれに隣接する「周縁部分」とにおいて互いに異なり、前者における起伏構造の密度は後者におけるそれよりも高い。
【００５５】
一方、図３（ｂ）の導光板ＧＬＢの第２主面には、小さい四角形で示された複数のドットＤＯＴが形成され、その密度（第２主面の単位面積に対するドット数）は、光源に対向した導光板ＧＬＢの一側面から離れるに従い徐々に高くなる。このように導光板ＧＬＢの第２主面に形成された複数のドットＤＯＴの密度を光源からの距離に応じて順次高めていくことで、光源に面した導光板ＧＬＢの一側面から離れるに従って減衰する導光板ＧＬＢの第１主面からの光の輻射強度が補償される。図３（ｂ）の導光板ＧＬＢの第２主面には、夫々のドットＤＯＴを示す四角形毎に、四角錐の窪み（凹部）又は四角錐の突起（ピラミッド状の凸部）が形成される。また、第２主面に窪み又は突起として形成される夫々のドットＤＯＴの四角錐は、第２主面内におけるドットＤＯＴの位置に関わらず、同じ深さ又は高さ、並びに同じ底面積を有する。
【００５６】
ドットとして導光板ＧＬＢの第２主面に形成される窪み又は突起の形状は、上述した四角錐に限らず、三角錐や五角錐等の多角錐、円錐、及びこれらの多角錐や円錐の頂点を切り取った角錐台や円錐台に代えてもよい。導光板ＧＬＢの第２主面に複数の窪み又は複数の突起として形成された複数のドットＤＯＴは、この第２主面に起伏構造を出現させ、その個々の形状に関わらず、導光板ＧＬＢで伝播された光の第２主面による反射を制御する。
【００５７】
図３（ｂ）の左端に示される導光板ＧＬＢの一端に対向する光源は、補助導光板ＳＧＬとその両端に配置された２つの発光素子ＬＥＤとを含む。補助導光板ＳＧＬは、導光板ＧＬＢと同様にアクリル樹脂等の光透過性の材料で成形され、導光板ＧＬＢの一側面に対向する出光面とこの出光面に対向する反射面とを有する。出光面及び反射面はｙ軸方向に延在し、反射面にはｙ軸沿いに波状の凹凸構造が形成される。出光面と反射面とは、その夫々の両端で入光面に接合され、夫々の入光面は発光素子ＬＥＤと光学的に接続する。双方の入光面から補助導光板ＳＧＬに入射した光は、波状の反射面で出光面側に徐々に反射されながら補助導光板ＳＧＬ内をｙ軸沿いに進行する。従って、図３（ｂ）に示された光源は、発光素子ＬＥＤという点光源を用いながらも、補助導光板ＳＧＬの出光面から概ね一様な強度で光を輻射し、導光板ＧＬＢの一側面を照射する所謂面光源として機能する。
【００５８】
図３（ｂ）に示される如く、導光板ＧＬＢの第２主面に形成されたドットＤＯＴの密度（単位面積に対するドット数）は、その「副パネル照射領域」において、これに隣接する「周縁部分」よりも高い。「副パネル照射領域」のドットＤＯＴの密度は、これより光源から離れた周縁部分（図３（ｂ）における「副パネル照射領域」の右隣）のドットＤＯＴの密度よりも高い。このため、図３（ｂ）に示される導光板ＧＬＢの第１主面の輝度は、単体の状態にて「副パネル照射領域」で局部的に高くなる。しかし、この導光板ＧＬＢを図１（ｂ）に示される如く、主液晶表示パネルＰＮＬ１及び副液晶表示パネルＰＮＬ２とともに筐体ＣＡＳに搭載すると、主液晶表示パネルＰＮＬ１の画面内における局部的な輝度の落ち込みが図２（ｃ）に示される如く抑止され、その結果、主液晶表示パネルＰＮＬ１の画面における輝度ムラの発生が抑えられる。
【００５９】
図３（ｂ）を参照して上述した導光板ＧＬＢの第２主面における「副パネル照射領域」の反射構造とこれに隣接する「周縁部分」の反射構造とを、導光板ＧＬＢの光源に対向する側面の延在方向（ｙ軸）沿いに比較すると、その相違は次のように記述される。導光板ＧＬＢ内で伝播された光の第２主面による反射を制御する起伏構造（ドットＤＯＴ）の第２主面内における密度（単位面積当たりの個数）が、「副パネル照射領域」とこれに隣接する「周縁部分」とにおいて互いに異なり、前者における起伏構造の密度は後者におけるそれよりも高い。
【００６０】
第２主面に複数のドットＤＯＴを形成した導光板ＧＬＢにおいて、その「副パネル照射領域」に形成されるドットＤＯＴの密度を、ｙ軸沿いに「副パネル照射領域」の両側に隣接した領域に形成されたドットＤＯＴ密度より高くする図３（ｂ）の構造に代えて、次の構造を採用してもよい。この構造では、「副パネル照射領域」及びｙ軸沿いにその両側に隣接した領域の夫々に同じ密度でドットＤＯＴを形成し、「副パネル照射領域」に形成されるドットＤＯＴをその隣接領域に形成されるそれより大きくする。ドットＤＯＴを第２主面の窪みとして形成する場合、副パネル照射領域のドットＤＯＴの底面積及び深さの少なくとも一方を隣接領域のドットＤＯＴのそれより大きくする。ドットＤＯＴを第２主面の突起として形成する場合、副パネル照射領域のドットＤＯＴの底面積及び高さの少なくとも一方を隣接領域のドットＤＯＴのそれより大きくする。
【００６１】
このようにして、導光板ＧＬＢの第２主面の「副パネル照射領域」において、ドットＤＯＴをその他の領域におけるドットＤＯＴと同じ密度で、且つその大きさをその他の領域よりも大きくして形成することにより、導光板ＧＬＢ内で伝播された光の第２主面による反射を制御する起伏構造（ドットＤＯＴ）の第２主面に対する高さ又は深さ、及び第２主面内における面積の少なくとも一つが「副パネル照射領域」とこれに導光板ＧＬＢの光源に対向する側面の延在方向（ｙ軸）沿いに隣接する「周縁部分」とにおいて相違する。その一例では、「副パネル照射領域」における起伏構造の第２主面内における面積が、「周縁部分」におけるそれよりも広くなり、図２（ａ）に示した導光板ＧＬＢと同様に「副パネル照射領域」における第２主面の反射率が補正される。
【００６２】
また、ドットＤＯＴを第２主面の窪みとして形成した一例では、「副パネル照射領域」における起伏構造が「周縁部分」におけるそれより深く形成され、また、ドットＤＯＴを第２主面の突起として形成した一例では、「副パネル照射領域」における起伏構造が「周縁部分」におけるそれより高く形成される。この２つの例のいずれにおいても、「副パネル照射領域」における起伏構造の高低差（Ｐｅａｋ−ｔｏ−Ｖａｌｌｅｙ）が「周縁部分」におけるそれよりも大きくなるため、図２（ｂ）に示した導光板ＧＬＢと同様に「副パネル照射領域」における第２主面の反射率が補正される。
【図面の簡単な説明】
【００６３】
【図１】本発明による液晶表示装置（両面液晶表示装置）の一例に関し、図１（ａ）は主液晶表示パネルの搭載側から見た液晶表示装置の平面構造を、図１（ｂ）は図１（ａ）に示されたＩｂ−Ｉｂ’線に沿う液晶表示装置の断面構造を夫々示す。
【図２】図１に示す液晶表示装置に好適な導光板の一例に関し、図２（ａ）はその副液晶表示パネルに対向する主面から見た導光板の平面構造を、図２（ｂ）は図２（ａ）に示されたＡ−Ａ’線及びＢ−Ｂ’線に沿う導光板の断面構造を、図２（ｃ）は、この導光板を図１（ｂ）に示す如く搭載した液晶表示装置の主液晶表示パネルの輝度プロファイル（Ｐｒｏｆｉｌｅ）を、夫々示す。
【図３】図１に示す液晶表示装置に好適な導光板の他の例に関し、図３（ａ）はその副液晶表示パネルに対向する主面に複数条の溝又は突起が形成された導光板の平面構造を、図３（ｂ）はその副液晶表示パネルに対向する主面に複数のドット（窪み又は突起）が形成された導光板の平面構造を、夫々示す。
【符号の説明】
【００６４】
ＰＮＬ１・・・主液晶表示パネル、ＰＮＬ２・・・副液晶表示パネル、ＣＡＳ・・・筐体、ＬＥＤ・・・発光素子（発光ダイオード）、ＧＬＢ・・・導光板、ＯＰＮ・・・（筐体ＣＡＳの）開口、ＧＲＶ・・・溝、ＰＲＯ・・・突起、ＤＯＴ・・・ドット、ＳＧＬ・・・補助導光板。
【図１】
2004302443.tif 000003
【図２】
2004302443.tif 000004
【図３】
2004302443.tif 000005